(57)【要約】【課題】  複数のシリンジを選択可能に有する場合であっても、その取り扱い性を良好にすることを目的とする。【解決手段】  ３本のシリンジ２，３，４を着脱自在に収容するシリンジホルダ５を有し、シリンジホルダ５には、保持部３２，３３，３４が凹設されている。保持部３２，３３，３４は、シリンジ２，３，４のシリンダ６，２２，２６を収容するシリンダ収容溝３５ａ，３５ｂ，３５ｃと、つば１２ａ，１２ｂ，１２ｃを収容するつば収容溝３６ａ，３６ｂ，３６ｃと、プランジャ７，２３，２７の基端側の押圧部２１を収容するプランジャ収容溝３７ａ，３７ｂ，３７ｃとを有している。このような保持部３２，３３，３４は、シリンジ２，３，４との間に隙間が形成されるような大きさになっている。【選択図】    図１
2005323740.tif 000002
【特許請求の範囲】
【請求項１】
バルーンカテーテルに接続されるシリンジを着脱自在に収容する収容溝が複数設けられたことを特徴とするバルーンカテーテル用のシリンジホルダ。
【請求項２】
前記保持部は、前記シリンジの外形に対して遊びをもって形成された前記収容溝と、前記収容溝の内面に設けられた少なくとも１つの突出部とを有することを特徴とする請求項１に記載のバルーンカテーテル用のシリンジホルダ。
【請求項３】
前記収容溝は、その長さ方向に略直交する断面が非円形であることを特徴とする請求項１又は請求項２に記載のバルーンカテーテル用のシリンジホルダ。
【請求項４】
外径の異なる前記シリンジに対応できるように、大きさの異なる複数の前記収容溝が配列されていることを特徴とする請求項１から請求項３のいずれか一項に記載のバルーンカテーテル用のシリンジホルダ。
【請求項５】
前記収容溝には、前記シリンジのつばに当接することで前記シリンジの回転を規制する平面部が設けられていることを特徴とする請求項１から請求項４のいずれか一項に記載のバルーンカテーテル用のシリンジホルダ。
【請求項６】
前記収容溝には、前記シリンジが前記バルーンカテーテルに接続される接続部側先端部を突出させる開口部が形成されていることを特徴とする請求項１から請求項５のいずれか一項に記載のバルーンカテーテル用のシリンジホルダ。
【請求項７】
請求項１から請求項６のいずれか一項に記載のバルーンカテーテル用のシリンジホルダと、前記保持部に収容された複数の前記シリンジとを有することを特徴とするバルーンカテーテル用のシリンジセット。
【発明の詳細な説明】
【技術分野】
【０００１】
本発明は、バルーンカテーテルに使用されるシリンジを収容保持するシリンジホルダ及びシリンジホルダにシリンジを収容したシリンジセットに関する。
【背景技術】
【０００２】
生体に処置を行う処置具としては、バルーンカテーテルがあげられる。バルーンカテーテルは、体内に挿入されるカテーテルを有し、カテーテルの先端にはバルーンが取り付けられている。バルーンは、カテーテルの外周にチューブを被せ、その両端を固定することで形成されている。カテーテルには、バルーン内に連通するルーメンが形成されており、このルーメンに空気を送り込むことでバルーンを膨らませることができるようになっている（例えば、特許文献１参照）。
【０００３】
ところで、従来では、バルーンカテーテルを管腔内で使用する場合には、造影剤を注入してＸ線撮影をして、バルーンの径を確認しつつ空気の供給量を制御することが多かった。この場合には、バルーンの内、管腔内壁に押し当てられる部分では造影剤が押しのけられるので、バルーンの輪郭を明確に確認できるが、造影剤の影となる部分ではその輪郭がぼやけてしまうので、バルーンの正確な大きさを確認し難かった。
【０００４】
そこで、Ｘ線で確認しなくてもバルーンの大きさを制御できるように、容量の異なるシリンジを予め複数容易し、所望の容積のシリンジをバルーンカテーテルに接続して使用することでバルーンの大きさを制御できるようにしたものがある。この場合には、複数のシリンジが予めバルーンカテーテルの滅菌パック内に用意されており、必要なシリンジを滅菌パックから取り出して使用する。また、複数のシリンジが１つの滅菌パックに収容され、この滅菌パックがバルーンカテーテルの滅菌パック内に収容されることもある。
【特許文献１】特開２００２‐１４３３１１号公報
【発明の開示】
【発明が解決しようとする課題】
【０００５】
しかしながら、滅菌パック内に複数のシリンジをそのまま収容する場合には、移送の途中などでシリンジが滅菌パック内でばらばらになってしまうことが多く、必要なシリンジを取り出し難かった。また、シリンジのみを収容する滅菌パックをさらに他の滅菌パックに収容する場合には、シリンジが２重に包装されているので、シリンジを取り出すまでに手間がかかった。さらに、手技の効率化という観点からは、外形が近似する複数のシリンジの中から手技に最適なシリンジを容易に選択できることが望ましい。
この発明は、このような事情に鑑みてなされたものであり、その目的とするところは、複数のシリンジを選択可能に有する場合であっても、その取扱性を良好にすることである。
【課題を解決するための手段】
【０００６】
上記の課題を解決する本発明の請求項１に係る発明は、バルーンカテーテルに接続されるシリンジを着脱自在に収容する収容溝が複数設けられたことを特徴とするバルーンカテーテル用のシリンジホルダとした。
このシリンジホルダは、複数の収容溝が設けられており、その各々にシリンジを収容することができるので、複数のシリンジを一つのユニットとして取り扱うことができるようになる。収容溝は、シリンジを着脱自在に構成されているので、使用時には、必要なシリンジのみを取り出すことができる。
【０００７】
請求項２に係る発明は、請求項１に記載のバルーンカテーテル用のシリンジホルダにおいて、前記保持部は、前記シリンジの外形に対して遊びをもって形成された前記収容溝と、前記収容溝の内面に設けられた少なくとも１つの突出部とを有することを特徴とする。
このシリンジホルダでは、シリンジを収容溝に収容させると、シリンジと収容溝との間に隙間を形成させることができる。さらに、主に突出部でシリンジが支持されることになるので、シリンジと収容溝との接触面積が減少する。
【０００８】
請求項３に係る発明は、請求項１又は請求項２に記載のバルーンカテーテル用のシリンジホルダにおいて、前記収容溝は、その長さ方向に略直交する断面が非円形であることを特徴とする。
このシリンジホルダでは、収容溝が断面視で非円形になっているので、シリンジとの間に隙間が生じやすい。
【０００９】
請求項４に係る発明は、請求項１から請求項３のいずれか一項に記載のバルーンカテーテル用のシリンジホルダにおいて、外径の異なる複数の前記シリンジに対応できるように、大きさの異なる前記収容溝が配列されていることを特徴とする。
このシリンジホルダでは、大きさの異なる収容溝を配列させてあるので、シリンジの大きさが異なる場合であっても収容することができる。シリンジの大きさに応じてバルーンに送り込む空気の量を変化させる場合に、そのような複数のシリンジの取り扱いが容易になる。さらに、容積の異なるシリンジが複数配置されていた場合には、シリンジの大きさによって直感的に必要なシリンジを選択できるようになる。
【００１０】
請求項５に係る発明は、請求項１から請求項４のいずれか一項に記載のバルーンカテーテル用のシリンジホルダにおいて、前記収容溝には、前記シリンジのつばに当接することで前記シリンジの回転を規制する平面部が設けられていることを特徴とする。
このシリンジホルダでは、平面部によってシリンジの回転を規制することができるので、シリンジの回転方向の向き一定に保つことできる。例えば、シリンジ自体に何らかの情報が付されている場合などには、その情報の値を一定の方向に向けるように収容することができるので、シリンジの取り扱いが容易になる。
【００１１】
請求項６に係る発明は、請求項１から請求項５のいずれか一項に記載のバルーンカテーテル用のシリンジホルダにおいて、前記収容溝には、前記シリンジが前記バルーンカテーテルに接続される接続部側先端部を突出させる開口部が形成されていることを特徴とする。
このシリンジホルダでは、シリンジの先端部がシリンジホルダから突出するように収容されるので、この突出した部分を掴めば、シリンジを簡単に取り外せる。
【００１２】
請求項７に係る発明は、請求項１から請求項６のいずれか一項に記載のバルーンカテーテル用のシリンジホルダと、前記保持部に収容された複数の前記シリンジとを有することを特徴とするバルーンカテーテル用のシリンジセットとした。
このシリンジセットでは、複数のシリンジが一体的に取り扱われるようになる。特定のシリンジをしようする際には、該当するシリンジをシリンジホルダから取り出して、バルーンカテーテルに接続する。
【発明の効果】
【００１３】
本発明によれば、シリンジホルダに複数のシリンジを収容させることで、滅菌パック内でシリンジがばらばらになることがなく、一体的に取り扱うことが可能になるので、使用時の取り扱い、もしくは選択が容易になる。したがって、手技を容易にし、手技時間の短縮化が図れる。
また、シリンジホルダの収容溝に遊びを設けることで、シリンジとの間に隙間を形成させたので、エチレンオキサイドガス等を用いたガス滅菌がしやすくなる。さらに、突出部でシリンジとシリンジホルダとの接触面積を少なくすると、さらに確実にシリンジとシリンジホルダとの間の隙間を滅菌できるようになる。
【発明を実施するための最良の形態】
【００１４】
発明を実施するための最良の形態について図面を参照しながら詳細に説明する。
図１及び図２に示すように、シリンジセット１には、３つのシリンジ２，３，４がシリンジホルダ５に収容保持されている。
図３に示すようにシリンジ２は、外筒部であるシリンダ６と、シリンダ６内に摺動自在に挿入されるプランジャ（押し子）７とを有している。
シリンダ６の先端には、縮径された先端部６ａが設けられ、先端部６ａからは接続部８が軸線に沿って延設されている。接続部８は、その中心線上にシリンダ６内と外部とを連通させる流出口９が形成されている。この流出口９は、後述するバルーンカテーテルに空気を導くために形成されている。さらに、接続部８には、流出口９を覆うように円筒部１０が設けられており、円筒部１０には内ネジ１０ａが刻まれている。シリンダ６の基端部６ｂには、挿入口１１ａがプランジャ７を挿入可能に設けられている。また、シリンダ６の基端部６ｂには、つば１２ａがシリンダ６の軸線と略直交する方向で、かつシリンダ６の一直径方向に延設されている。シリンダ６は、縮径された先端部６ａを除いて基端部６ｂの挿入口１１ａに至るまで、略等しい内径を有している。なお、挿入口１１ａの近傍の内周面には、プランジャ７の抜け落ちを防止するための突起（不図示）が設けられている。
【００１５】
ここで、シリンダ６の外周面には、軸線方向に沿って目盛１３ａが設けられている。目盛１３ａは、シリンダ内に形成される空間の容積を先端部６ａ側を基準として計測した結果を示すものでも良いし、目盛の位置から先端まで、後述するシール部材１９ａを移動させたときに、膨らむバルーンの外径を示すものでも良い。
シリンダ６には、目盛１３ａに重なるように、孔１４が設けられている。孔１４は、シリンダ６の内部と外部とを連通させるもので、シリンダ６内部が予め設定された容積（第１の容積）になる位置に形成されている。この第１の容積は、例えば、バルーンを直径８．５ｍｍの大きさで拡張させるだけの空気量に相当する。
さらに、シリンダ６には、孔１４から周方向に約１／４周（角度にして略９０度）だけずれた位置に、孔１５が形成されている。孔１５は、シリンダ６の内部と外部とを連通させるもので、孔１５と略同じ大きさに形成されている。
【００１６】
プランジャ７は、板片１７ａを十文字状に交差させた本体部１８ａを有している。本体部１８ａは、シリンダ６内に挿入可能な大きさを有し、本体部６の先端には、シール部材１９ａが取り付けられている。シール部材１９ａは、シリンダ６の内周面に摺接するシール面２０ａを有し、シリンダ６の内周面とシール部材１９ａとの間では気密が保たれるようになっている。さらに、本体部１８ａの基端には、円板状の押圧部２１が取り付けられている。
【００１７】
シリンジ３は、シリンジ２よりも内径及び外径が大きいシリンダ２２と、このシリンダ２２内に摺動自在に挿入されるプランジャ２３とを有し、シリンジ２と同様の構成になっている。すなわち、シリンダ２２には、先端部２２ａに接続部８が設けられ、基端部２２ｂには挿入口１１ｂが形成されている。また、基端部２２ｂにはつば１２ｂが延設されている。このシリンダ２２には、先端部２２ａを基準として、例えば、バルーンを直径１１．５ｍｍの大きさで拡張させるだけの空気量（第２の容積）に相当する位置に、２つの孔２４，２５が設けられている。孔２４は、目盛１３ｂ上に設けられ、孔２５は、孔２４から周方向に約９０度ずれた位置に設けられている。なお、プランジャ２３は、シリンダ２２に対応した大きさを有し、板片１７ｂを交差させた本体部１８ｂの先端にはシール部材１９ｂが取り付けられている。シール部材１９ｂの外周面は、シリンダ２２の内周面に気密を保持するように摺接するシール面２０ｂになっている。
【００１８】
シリンジ４は、シリンジ３よりも内径及び外径が大きいシリンダ２６と、このシリンダ２６内に摺動自在に挿入されるプランジャ２７とを有し、シリンジ２，３と同様の構成になっている。すなわち、シリンダ２６には、先端部２６ａに接続部８が設けられ、基端部２６ｂには挿入口１１ｃが形成されている。また、基端部２６ｂにはつば１２ｃが設けられている。このシリンダ２６には、先端部２６ａを基準として、例えば、バルーンを直径１５ｍｍの大きさで拡張させるだけの空気量（第３の容積）に相当する位置に、２つの孔２８，２９が設けられている。孔２８は、目盛１３ｃ上に設けられ、孔２９は、孔２８から周方向に約９０度ずれた位置に設けられている。なお、プランジャ２７は、シリンダ２６に対応した大きさを有し、板片１７ｃを交差させた本体部１８ｃの先端にはシール部材１９ｃが取り付けられている。シール部材１９ｃの外周面は、シリンダ２７の内周面に気密を保持するように摺接するシール面２０ｃになっている。
【００１９】
図１及び図２に示すように、シリンジホルダ５は、平面視で略長方形のシートの周縁部をつば３０とし、その内側を上側に膨出させて本体部３１を形成している。本体部３１は、側面視においてつば３０を底面とする台形になっている。この本体部３１の短辺は、シリンジ２，３，４の長さよりも短い。さらに、本体部３１には、本体部３１の長辺に沿って３つの保持部３２，３３，３４が平行に凹設されている。
保持部３２は、上面側が開口された収容溝を有し、収容溝は、側面３１ａ側からシリンダ収容溝３５ａ、つば収容溝３６ａ、プランジャ収容溝３７ａに区画されている。これら溝３５ａ，３６ａ，３７ａは連通し、本体部３１の側面３１ａに開口部３２ａが形成され、本体部３１の対向する側面３１ｂ側は閉塞されている。
【００２０】
図２に示すように、シリンダ収容溝３５ａは、シリンダ６の径よりも大きい幅及び深さを有している。さらに、シリンダ収容溝３５ａの上部開口３２ｂの縁部は、上部開口３２ｂの幅を減じるように膨出している。
図１に示すように、つば収容溝３６ａは、シリンダ収容溝３５ａに連なり、その幅はシリンダ収容溝３５ａよりも大きい。図４に示すように、つば収容溝３６ａの側壁は、底部に向かって幅を減じるような勾配を有し、底部は、なだらかな凹形になっている。図５に示すように、つば収容溝３６ａの深さは、シリンダ収容溝３５ａよりも大きく、つば収容溝３６ａとシリンダ収容溝３５ａとの境界面は勾配をもつように形成されている。同様に、つば収容溝３６ａと、プランジャ収容溝３７ａとの境界面は、勾配をもつように形成されている。
プランジャ収容溝３７ａの深さは、つば収容溝３６ａの深さと同程度であり、底部は、プランジャ７の押圧部２１よりも曲率が小さくなっている。図４に示すように、プランジャ収容溝３７ａの幅は、つば収容溝３６ａの幅よりも狭くなっている。プランジャ収容溝３７ａの他端側は、閉塞面３８ａにより閉塞されており、この閉塞面３８ａはプランジャ収容溝３７ａの長さを底部に向かって減じるような勾配が付けられている。
【００２１】
図１及び図４に示すように、保持部３３の収容溝は、シリンダ収容溝３５ｂ、つば収容溝３６ｂ、プランジャ収容溝３７ｂに区画され、側面３１ａ側に開口部３３ａが形成されている。シリンダ収容溝３５ｂの幅及び深さは、シリンダ収容溝３５ａよりも大きくなっている。つば収容溝３６ｂの幅及び深さは、シリンダ収容溝３５ｂよりも大きく、その底部は凹形になっている。プランジャ収容溝３７ｂの深さは、つば収容溝３６ｂと同程度で、その幅はつば収容溝３６ｂよりも狭い。なお、プランジャ収容溝３７ｂの他端側の閉塞面３８ｂ、プランジャ収容溝３７ｂとつば収容溝３６ｂの境界面、つば収容溝３６ｂとシリンダ収容溝３５ｂの境界面は、それぞれ保持部３２において対応する面と同様の勾配が付けられている。
【００２２】
保持部３４は、保持部３３と幅及び深さが異なる他は同様の構成になっている。すなわち、側面３１ａ側に開口部３４ａを有し、シリンダ収容溝３５ｃ、つば収容溝３６ｃ、プランジャ収容溝３７ｃに区画されている。つば収容溝３６ｃの幅及び深さは、シリンダ収容溝３５ｃよりも大きく、その底部は凹形になっている。プランジャ収容溝３７ｃの深さは、つば収容溝３６ｃと同程度で、その幅はつば収容溝３６ｃよりも狭い。プランジャ収容溝３７ｃの他端側の閉塞面３８ｃ、プランジャ収容溝３５ｃとつば収容溝３６ｃの境界面、つば収容溝３６ｃとシリンダ収容溝３５ｃの境界面は、それぞれ収容部３２，３３において対応する面と同様の勾配が付けられている。
なお、このようなシリンジホルダ５は、可撓性を有する素材、例えば、ポリプロピレン又はポリエチレン、ポリスチレン又はポリエチレンテレフタレート、ポリカーボネート又はＡＢＳ（アセト二トリルブタジエンスチレン）、メタクリル樹脂などのシートを真空(圧空)成形することにより製造されている。
【００２３】
ここで、シリンジセット１と共に滅菌パックに収容されるバルーンカテーテルの一例について図６及び図７を参照して説明する。
図６に示すバルーンカテーテル４０は、管腔内に挿入される可撓性のカテーテル（シース）４１を有し、カテーテル４１の先端部には、バルーン４２が取り付けられている。バルーン４２は、例えば、天然ゴムラテックスから製造されたチューブで、チューブ内にカテーテル４１の先端部を貫通させた後に、その両端部４２ａを糸４３で縛り付けると共に、接着剤を塗布するなどして固定されている。バルーン４２に空気を供給すると、図７に示すように、固定されていない中間部４２ｂを膨らませることができる。
カテーテル４１内には、膨張ルーメン４４が形成されている。膨張ルーメン４４は、その先端部分が閉塞されると共に、バルーン４２の中間部４２ｂに連通する側孔４５が形成されている。また、カテーテル４１内には、ガイドルーメン４６と送液ルーメン４７とが略平行に形成されている。ガイドルーメン４６には、カテーテル４１の先端部を管腔内に案内する際に、ガイドワイヤや、スタイレットを挿通される。送液ルーメン４７は、管腔に造影剤を注入するために用いられる。送液ルーメン４７の先端部は、閉塞されると共に、外部に連通する側孔４８が設けられている。なお、送液ルーメン４７を形成せずに、ガイドルーメン４６を用いて造影剤を注入するようにしても良い。
【００２４】
図６に示すように、カテーテル４１の基端部には、操作部４９が設けられている。操作部４９は、カテーテル４１に接続される分岐部５０を有し、分岐部５０からは、膨張シャフト５１とガイドシャフト５２とが延設されている。膨張シャフト５１内には、膨張ルーメン４４に連通するルーメンが設けられており、膨張シャフト５１の基端部にはルアー形状の口金５３が取り付けられている。この口金５３には、弁５４を介してシリンジ２，３，４のいずれか１つが接続されるようになっている。また。ガイドシャフト５２の基端部には、口金５５が取り付けられている。この口金５５には、２つの入口５６，５７が設けられている。入口５６は、ガイドルーメン４６に連通しており、ここからガイドワイヤを挿入して、カテーテル４１の剛性を高めて押し込み性能を向上させられるようになっている。また、入口５７は、送液ルーメンに連通しており、ここには造影剤が収容された造影剤用シリンジを接続できるようになっている。
【００２５】
次に、シリンジセット１及びシリンジホルダ５の作用について説明する。
まず、シリンジホルダ５の保持部３２に、シリンジ２を収容する。具体的には、つば収容溝３６ａにシリンダ６のつば１２ａが収容されるように、シリンジホルダ５の上部開口３２ｂ側からシリンジ２を押し込む。シリンダ６は、シリンダ収容溝３５ａの上部開口３２ｂの縁部を押し広げるように挿入される。このとき、シリンダ収容溝３５ａの長さは、シリンダ６よりも短いので、シリンダ６の先端部６ａ側は、シリンジホルダ５の側面３１ａから突出する。また、シリンダ６のつば１２ａは、つば収容溝３６ａ内に収容され、押圧部２１はプランジャ収容溝３７ａに収容される。
【００２６】
ここで、シリンダ収容溝３５ａの幅及び深さは、シリンジ２よりも大きく、シリンジ２との間に遊びが形成されるようになっているので、滅菌処理時のオトークレーブによる高圧蒸気やエチレンオキサイドガスが浸透しやすくなっている。なお、シリンジ２のつば１２ａと、つば収容溝３６ａ及びシリンダ収容溝３５ａの境界面とが当接するので、シリンジ２が開口部３２ａ側から抜け落ちることはない。また、プランジャ収容溝３７ａ側は、閉塞面３８ａで閉塞されているので、こちら側からシリンジ２が抜け落ちることはない。
同様に、保持部３３にはシリンジ３を上部開口３３ｂから挿入して保持させ、保持部３４にはシリンジ４を上部開口３４ｂから挿入して保持させる。
【００２７】
シリンジホルダ５に各シリンジ２，３，４を収容させたシリンジセット１は、滅菌パック（不図示）に収容される。この滅菌パックには、この他に図６に示すバルーンカテーテル４０などが収容された後に封がなされ、滅菌処理が施される。滅菌処理としては、例えば、オートクレーブによる高圧蒸気滅菌や、エチレンオキサイドガスによる滅菌があげられる。
【００２８】
バルーンカテーテル４０を管腔内に挿入し、バルーン４２を膨張させるときには、３つのシリンジ２，３，４の内から選択した１つのシリンジ２，３，４の接続部８の内ネジ１０ａを弁５４に螺入し、両者を接続する。シリンジ２，３，４をシリンジホルダ５から取り外すときには、シリンジホルダ５から露出しているシリンジ２，３，４の先端部を掴んで引き出す。例えば、シリンジ２をバルーンカテーテル４０に接続するときには、予めプランジャ７をシリンジ２の基端部２ｂ側まで引き戻しておく。
シリンジ２を接続したら、一方の手でシリンダ６のつば１２ａと、プランジャ７の押圧部２１とを指で挟み込むようにして保持し、他方の手でシリンダ６をもって、プランジャ７をシリンダ６の先端部６ａに向かってゆっくりと押し込む。
【００２９】
プランジャ７のシール部材１９ａのシール面２０ａが孔１４，１６に達するまでは、バルーン４２（図３参照）には空気が供給されない。すなわち、プランジャ７が押し込まれると、シール部材１９ａとシリンダ６内とで形成される空間の容積は減少するが、容積の減少分に相当する空気は、抵抗の少ない２つの孔１４，１５から抜け出るので、バルーン４２に空気は供給されない。
プランジャをさらに押し込んで、シール部材１９ａが孔１４，１５の形成位置を越えて先端部６ａ側に移動すると、バルーン４２に空気が供給されるようになる。すなわち、シール部材１９ａが孔１４，１５よりも先端部６ａ側にあるので、シリンダ６の空間内の空気は孔１４，１５から抜け出さなくなり、容積の減少量に相当する空気が流出口９からバルーンカテーテル４０に送り込まれる。この空気は、図６に示す膨張ルーメン４４を通ってバルーン４２に供給される。その結果、シリンダ６内の容積の減少量に応じてバルーン４２が膨張する（図７参照）。
つまり、このシリンジ２では、プランジャ７を先端部６ａまで押し込んだときには、第１の容積に相当する空気量が送りこまれ、これに応じた大きさでバルーン４２が膨張させられる。シリンジ３を選択した場合であれば、第２の容積に相当する空気量が送りこれ、バルーン４２が膨張させられる。シリンジ４を選択した場合であれば、第３の容積の相当する空気量が送り込まれ、バルーン４２が膨張させられる。
【００３０】
ここで、プランジャ７，２３，２７を押し込むに際し、シリンダ６，２２，２６の外周面に指を沿えることがあるが、この場合に孔１４，２４，２８又は孔１５，２５，２９の一方を指で塞いでしまうことがある。しかしながら、この実施の形態では、孔が２つずつ設けられているので、２つの孔１４，１５，２４，２５，２８，２９が同時に指で塞がれることがなくなり、バルーン４２に供給される空気量を確実に制御することができる。特に、２つの孔１４，１５，２４，２５，２８，２９が周方向に約９０度ずれた位置に形成されているので、シリンダ６，２２，２６を挟むように指を添えた場合に、一方の孔１４，２４，２８が塞がれたとしても、他方の孔１５，２５，２９が塞がれることはない。
【００３１】
この実施の形態では、バルーン４２を膨張させる大きさに応じて複数のシリンジ２，３，４を用意し、かつそれらシリンジ２，３，４をシリンジホルダ５に整列させて収容するようにしたので、滅菌パックへの収容している間や、滅菌パックから取り出して使用する際に、シリンジ２，３，４がバラバラになることが防止され、使いやすくなる。また、従来のように２重にした滅菌パック内に収容されることがなくなるので、必要なシリンジ２，３，４をすばやく取り出すことが可能になり、手技時間を短縮させることができる。
また、シリンジホルダ５からシリンジ２，３，４の先端部が突出しているので、シリンジホルダ５からシリンジ２，３，４を容易に取り出すことができる。
【００３２】
なお、シリンジ２，３，４は、孔１４，１５，２４，２５，２８，２９を有しなくても良い。プランジャ７，２３，２７を引き戻したときのシリンダ６，２２，２６内の容積がシリンジ２，３，４ごとに異なるので、孔を設けなくてもシリンジ２，３，４ごとに異なる大きさでバルーン４２を拡張させることができるからである。
【００３３】
次に、本発明の第２の実施の形態について図面を参照して説明する。なお、第１の実施の形態と同じ構成要素には同一の符号を付してある。また、第１の実施の形態と重複する説明は省略する。
図８に示すように、シリンジホルダ６０は、長辺に沿って３つの保持部６１，６２，６３が凹設されている。
各保持部６１，６２，６３は、本体部３１の側面３１ａに開口部６１ａ，６２ａ，６３ａが設けられ、ここから側面３１ｂに向かって延びている。このような保持部６１，６２，６３は、シリンダ収容溝６４ａ，６４ｂ，６４ｃの形態が第１の実施の形態と異なる。
【００３４】
図８及び図９に示すように、シリンダ収容溝６４ａは、略Ｕ字形を有し、その幅及び深さはシリンダ６の径よりも大きく形成されている。シリンダ収容溝６４ａの底部には、突出部６５が所定の間隔で３つ突設されている。この突出部６５は、シリンダ６に点接触する形状及び大きさであり、その高さは、シリンダ６を突出部６５に載せた状態でシリンダ６の上面がシリンダ収容溝６４ａの上部開口６１ｂから突出しない程度の高さになっている。
さらに、図９に示すように、シリンダ収容溝６４ａの上部開口６１ｂ近傍の側壁のそれぞれには、突出部６６がシリンダ収容溝６４ａの幅を減じるように対向して突設されている。突出部６６の形成位置は、シリンダ６を突出部６５上に載せた状態で、シリンダ６の上面との間に所定の隙間が形成される位置になっている。突出部６６は、シリンダ収容溝６４ａの側壁に連なる基端部から先端部にかけて幅が減少させられており、先端部は上下方向に平行な平面になっている。図１０に示すように、突出部６６の基端部から先端部に至るまでの側面であって、シリンダ収容溝６４ａの底部側に臨む下側面６６ａは、上側面６６ｂよりもなだらかになっている。また、突出部６６は、本体部３１の短辺方向の中心付近に対向配置されており、その各々がシリンダ収容溝６４ａの長さ方向に延びている。
【００３５】
図８及び図９に示すように、保持部６２のシリンダ収容溝６４ｂは、幅及び深さがシリンダ収容溝６４ａよりも大きくなっており、その底部には、突出部６５が３つ設けられている。保持部６２の上部開口６２ｂ近傍であって、シリンダ収容溝６４ｂの側壁には、突出部６６がシリンダ収容溝６４ｂの長さ方向に沿って２つずつ対向配置されている。
保持部６３のシリンダ収容溝６４ｃは、幅及び深さがシリンダ収容溝６４ｂよりも大きくなっており、その底部には、突出部６５が３つ設けられている。保持部６３の上部開口６３ｂの近傍であって、シリンダ収容溝６４ｃの側壁には、突出部６６がシリンダ収容溝６４ｃの長さ方向に沿って２つずつ対向配置されている。
【００３６】
このシリンジセットの作用について説明する。
まず、シリンジホルダ６０の保持部６１に、シリンジ２を収容する。つば収容溝３６ａにシリンダ６のつば１２ａが収容されるように、上部開口６１ｂ側からシリンジ２を保持部６１に押し込むと、シリンダ６が突出部６６間を押し広げるようにして挿入され、シリンダ収容溝６４ａ内に収まる。シリンダ６が通過した後には、突出部６６が元の位置に戻る。
自然状態では、シリンジ２は、主にシリンダ収容溝６４ａの底部の突出部６５に支持される。ここで、シリンダ収容溝６４ａは、シリンジ２よりも大きく、遊びを有している。
同様に、保持部６２には、シリンジ３が収容され、保持部６３にはシリンジ４が収容される。自然状態で各シリンジ３，４は、それぞれのシリンダ収容溝６４ｂ，６４ｃの突出部６５に主に支持される。
【００３７】
シリンジ２，３，４を収容したシリンジホルダ６０は、滅菌パックに収容され、バルーンカテーテル４０などと共に滅菌処理される。このとき、各シリンジ２，３，４と、保持部６１，６２，６３との間には、十分な遊びがあり、シリンジ２，３，４と保持部６１，６２，６３との接触面積は、突出部６５，６６などによって最小限の大きさになっているので、ガスが行き渡りやすくなっている。さらに、つば収容溝３６ａ，３６ｂ，３６ｃ、及びプランジャ収容溝３７ａ，３７ｂ，３７ｃは、勾配を有する面や、シリンジ２，３，４とは異なる曲率を有する面から形成されており、シリンジ２，３、４との間に隙間が形成されているので、ガスが行き渡りやすくなっている。このため、滅菌ガスによって、シリンジ２，３，４が確実に滅菌される。
【００３８】
この実施の形態では、シリンジ２，３，４との間に十分な遊びが形成されるように保持部６１，６２，６３を形成したので、保持部６１，６２，６３とシリンジ２，３，４との間に隙間が確保され、シリンジ２，３，４の滅菌を確実に行うことができる。特に、突出部６５，６６などによってシリンジ２，３，４との接触面積が小さくなるようにしたので、シリンジ２，３，４の滅菌をさらに確実に行うことができる。
また、シリンジ２，３，４との間に遊びが形成されており、さらに各シリンジ２，３，４の先端部を露出させているので、シリンジ２，３，４の取り出しが容易になる。
【００３９】
次に、本発明の第３の実施の形態について図面を参照して説明する。なお、前記各実施の形態と同じ構成要素には同一の符号を付してある。また、前記各実施の形態と重複する説明は省略する。
この実施の形態は、保持部の他の形態に関するものである。
図１１に示すように、シリンジホルダ７０の保持部７１，７２，７３は、シリンダ収容溝７４ａ，７４ｂ，７４ｃの断面形状が略楕円形になっている。
シリンダ収容溝７４ａは、上部開口７１ｂの近傍が互いに近接するように膨出し、突出部７５が形成され、底部側が楕円形になっている。シリンダ収容溝７４ａの内壁と、シリンダ６との接触部分は、底部側に１箇所、突出部７５ａ側に２箇所の最大３箇所で、それぞれが線接触になっている。シリンジ２のその他の部分は、保持部７１に接触せずに、隙間が形成されるようになっている。
保持部７２のシリンダ収容溝７４ｂは、シリンダ収容溝７４ａよりも大きく、上部開口７２ｂの近傍に突出部７５ｂを有し、底部側が楕円形状になっている。保持部７３のシリンダ収容溝７４ｃは、シリンダ収容溝７４ｂよりも大きく、上部開口７３ｂの近傍に突出部７５ｃを有し、底部側が楕円形状になっている。
【００４０】
また、図１２に示すようなシリンダ収容溝８１，８２，８３であっても良い。
シリンダ収容溝８１は、上部開口８１ｂを基準とする略十字形になっている。シリンダ収容溝８１の中央部分にシリンダ６が主に収容され、この中央部分から４方に延設される延設部８１ａによってシリンダ６との間に隙間が形成されている。延設部８１ａの基端にあたる各角部８１ｂがシリンダ６と最大４箇所で線接触する。
シリンダ収容溝８２は、上部開口８２ｂを基準とする略Ｔ字形になっている。上部開口８２ｂの幅は、シリンダ２２よりも狭くなっている。底部側は、拡幅されており、この拡幅部８２ａによってシリンダ２２との間に隙間が形成されている。このシリンダ収容溝８２は、拡幅部８２ａの角部と、底部との最大３箇所でシリンダ２２に線接触するようになっている。
シリンダ収容溝８３は、略三角形を有している。この場合は、底部が三角形の底辺に相当し、上部開口８３ｂが１つの頂点に相当する。上部開口８３ｂの幅は、シリンダ２６の外径よりも小さく、底部近傍の幅はシリンダ２６より大きくなっている。このシリンダ収容溝８３は、シリンダ２６との間に隙間が形成され、底部と、傾斜する２つ側壁との最大３箇所でシリンダ２６に接触するようになっている。
なお、このシリンジホルダは、いずれか一種類のシリンダ収容溝８１，８２，８３を３つ配列させたものでも良い。
【００４１】
これらのシリンダ収容溝７４ａ，７４ｂ，７４ｃ，８１，８２，８３では、複数のシリンジ２，３，４を整列して保持させることができるので、使いやすくなり、手技時間の短縮化が図れる。また、シリンジ２，３，６とシリンダ溝７４ａ，７４ｂ，７４ｃ，８１，８２，８３との間に隙間が形成されているのでガス滅菌の際にガスが行き渡り易くなり、滅菌を十分に行えるようになる。
【００４２】
次に、本発明の第４の実施の形態について図面を参照して説明する。なお、前記各実施の形態と同じ構成要素には同一の符号を付してある。また、前記各実施の形態と重複する説明は省略する。
図１３には、シリンジホルダ９０に凹設された複数の保持部９１の１つにシリンジ９２が収容された状態が図示されている。
シリンジ９２は、シリンダ２６を有し、シリンダ２６の外周面には表示部９３がつば１２ｃの延設方向からシリンダ２６の周方向に約９０度ずらした位置に設けられている。図１３において、表示部９３には、「Ｆｏｒ  １５ｍｍ  Ｂａｌｌｏｏｎ」、あるいは「１５ｍｍ」との表示がなされている。これは、このシリンジ９２は、バルーン４２を最大で１５ｍｍの膨張径に相当する大きさで膨らませられることを意味している。
【００４３】
シリンジホルダ９０の保持部９１は、つば収容溝９４ｃが第２の実施の形態の保持部６１と異なる。図１４に示すように、つば収容溝９４ｃは、その底部としての平面部９５を有している。平面部９５は、つば収容溝９４ｃにシリンジ９２を収容したときに、つば１２ｃが平面部９５とは密着しないが、平面部９５がつば１２ｃの回転を防止するような深さに設けられている。この平面部９５によれば、他の方向の移動、例えば、つば１２ｃの延設方向への移動や、つば収容溝９４ｃの深さ方向への移動は許容される。
なお、図示しない他の保持部においても、平面部を有するつば収容溝を有し、他のシリンジの表示部が目視可能に収容できるように構成されているものとする。
【００４４】
次に、このシリンジホルダ９０の作用について説明する。
シリンジホルダ９０の保持部９１には、シリンジ９２を、表示部９３が上向きになるように挿入する。このとき、つば収容溝９４ｃの平面部９５によってシリンジ９２のつば１２ｃの向きが規制され、つば１２ｃが略水平に保たれるので、シリンジ９２の表示部９３は、常に上方から視認可能になる。
バルーン４２を１５ｍｍの膨張径に相当する大きさで膨らませたい場合には、各表示部９３を確認して、そのような表示がなされているシリンジ９２を選択する。シリンジ９２の先端部を掴んでシリンジホルダ９０から取り出したら、プランジャ７を基端部２６ｂ側に引き戻してからバルーンカテーテル４０に接続する。このシリンジ９２で空気をバルーン４２に送り込むと、膨張径１５ｍｍに相当する大きさでバルーン４２が膨張させられる。
なお、図示しないが、他のシリンジ、例えば、表示部９３が、バルーン４２を１１．５ｍｍの拡張径で膨張可能である旨を表示しているシリンジを用いると、膨張径１１．５ｍｍに相当する大きさでバルーン４２が膨張させられる。また、シリンダ２６に孔１４，１５が設けられている場合には、表示部９３は、シリンダ２６の先端部２６ａから孔１４，１５の形成位置に至るまでの容積で拡張させることができるバルーン４２の径が表示される。
【００４５】
この実施の形態では、シリンジ９２に表示部９３を設け、バルーン４２を拡張させられる大きさの目安を目視で確認することができるようにしたので、シリンジ９２の選択をスムーズに行えるようになり、手技時間を短縮することができる。
さらに、保持部９１のつば収容溝９４ｃに平面部９５を設け、収容状態にあるシリンジ９２の回転を防止するようにしたので、表示部９３を常にシリンジセットの上面に位置させることができる。したがって、表示部９３の内容の確認が容易になる。
複数のシリンジ９２を収容保持させることにより、取り扱いを容易にしたり、滅菌の確実性を向上させたり、手技時間の短縮化したりする効果は、前記の実施の形態と同様である。
【００４６】
なお、本発明は、前記各実施の形態に限定されずに広く応用することが可能である。
例えば、図１１に示すシリンダ収容溝７１，７２，７３に突起６５（図８参照）を設け、シリンダとの接触面積をさらに減少させても良い。
第１の実施の形態、第３の実施の形態のシリンジホルダ５，７０のつば収容溝３６ａ，３６ｂ，３６ｃに平面部９５（図１４参照）を設けても良い。
【図面の簡単な説明】
【００４７】
【図１】本発明の実施の形態におけるシリンジセットの上面図である。
【図２】図１のＡ矢視図である。
【図３】シリンジの構成を示す図である。
【図４】図１のＩＶ‐ＩＶ線に沿う断面図であって、シリンジが未装着状態にある場合を示す図である。
【図５】図１のＶ‐Ｖ線に沿う断面図であって、シリンジが未装着状態にある場合を示す図である。
【図６】バルーンカテーテルの一例を示す断面図である。
【図７】バルーンカテーテルの先端部を示す断面図である。
【図８】シリンジホルダの上面図である。
【図９】図８のＩＸ‐ＩＸ線に沿う断面図である。
【図１０】図８のＸ‐Ｘ線に沿う断面図である。
【図１１】シリンダ収容溝を示す図である。
【図１２】シリンダ収容溝を示す図である。
【図１３】シリンジセットの上面図である。
【図１４】図１３のＸＩＶ‐ＸＩＶ線に沿った断面図である。
【符号の説明】
【００４８】
１      シリンジセット
２，３，４，９２      シリンジ
５，６０，７０，９０    シリンジホルダ
４０    バルーンカテーテル
３２，３３，３４，６１，６２，６３，７１，７２，７３，９１    保持部
３２ａ，３３ａ，３４ａ，６１ａ，６２ａ，６３ａ      開口部
３５ａ，３５ｂ，３５ｃ，６４ａ，６４ｂ，６４ｃ，７４ａ，７４ｂ，７４ｃ，８１，８２，８３    シリンダ収容溝
３６ａ，３６ｂ，３６ｃ，９４ｃ    つば収容溝
３７ａ，３７ｂ，３７ｃ    プランジャ収容溝
６５，６６    突出部
９５    平面図
【図１】
2005323740.tif 000003
【図２】
2005323740.tif 000004
【図３】
2005323740.tif 000005
【図４】
2005323740.tif 000006
【図５】
2005323740.tif 000007
【図６】
2005323740.tif 000008
【図７】
2005323740.tif 000009
【図８】
2005323740.tif 000010
【図９】
2005323740.tif 000011
【図１０】
2005323740.tif 000012
【図１１】
2005323740.tif 000013
【図１２】
2005323740.tif 000014
【図１３】
2005323740.tif 000015
【図１４】
2005323740.tif 000016